(57)【要約】【課題】電極及び配線が透明基板の活性領域に配置されても良好な視認性を有するタッチパネルを提供する。【解決手段】本発明によるタッチパネルは、透明基板と、前記透明基板に長さ方向に沿って交互に連続する第１ピーク１１及び第２ピーク１２を有する正弦波（ｓｉｎｅ  ｗａｖｅ）状の波状ライン（ｗａｖｙ  ｌｉｎｅ）１０が互いに離隔して平行に配列されるように形成される導電性パターン２００と、前記透明基板に波状ライン１０間を電気的に連結するように形成される連結パターン２０と、を含むものである。【選択図】図２
2014038585.tif 000002
【特許請求の範囲】
【請求項１】
透明基板と、
前記透明基板に長さ方向に沿って交互に連続する第１ピーク及び第２ピークを有する正弦波（ｓｉｎｅ  ｗａｖｅ）状の波状ライン（ｗａｖｙ  ｌｉｎｅ）が互いに離隔して平行に配列されるように形成される導電性パターンと、
前記透明基板に前記波状ライン間を電気的に連結するように形成される連結パターンと、
を含むタッチパネル。
【請求項２】
前記導電性パターンは、隣接した前記波状ラインのうち何れか一つの第１ピークと他の一つの第２ピークとが互いに対向するように形成され、隣接した前記波状ライン間の最短の隔離距離を形成する請求項１に記載のタッチパネル。
【請求項３】
前記連結パターンは、線状からなり、隣接した前記波状ラインのうち何れか一つの第１ピークと他の一つの第２ピークとに両端が連結される請求項２に記載のタッチパネル。
【請求項４】
前記導電性パターンを形成する前記波状ラインのうち何れか一つは配線であり、他のものは電極である請求項１に記載のタッチパネル。
【請求項５】
前記透明基板上に前記波状ラインが同じ間隔で配列される請求項１に記載のタッチパネル。
【請求項６】
前記透明基板は活性領域と非活性領域とに区画され、
前記導電性パターン及び前記連結パターンは前記活性領域に形成される請求項１に記載のタッチパネル。
【請求項７】
前記導電性パターン及び前記連結パターンは、同一の材料で一体に形成される請求項１に記載のタッチパネル。
【請求項８】
透明基板と、
前記透明基板に長さ方向に沿って交互に連続する第１ピーク及び第２ピークを有する正弦波（ｓｉｎｅ  ｗａｖｅ）状の波状ライン（ｗａｖｙ  ｌｉｎｅ）が互いに離隔して平行に配列されるように形成され、前記波状ラインに切開部が形成されることで、第１導電部と第２導電部とに区画される導電性パターンと、
前記透明基板に前記波状ライン間を電気的に連結するように形成される連結パターンと、
を含むタッチパネル。
【請求項９】
前記導電性パターンは、隣接した前記波状ラインのうち何れか一つの第１ピークと他の一つの第２ピークとが互いに対向するように形成され、隣接した前記波状ライン間の最短の隔離距離を形成する請求項８に記載のタッチパネル。
【請求項１０】
前記連結パターンは、線状からなり、隣接した前記波状ラインのうち何れか一つの第１ピークと他の一つの第２ピークとに両端が連結される請求項８に記載のタッチパネル。
【請求項１１】
前記切開部は、前記波状ラインに、前記波状ラインの長さ方向と直交する方向に沿って形成される請求項８に記載のタッチパネル。
【請求項１２】
前記第１導電部を形成する前記波状ラインのうち何れか一つは第１配線であり、他のものは第１電極である請求項８に記載のタッチパネル。
【請求項１３】
前記第２導電部を形成する前記波状ラインのうち何れか一つは第２配線であり、他のものは第２電極である請求項８に記載のタッチパネル。
【請求項１４】
前記透明基板に前記波状ラインと同じ形状に形成され、前記導電性パターンの一側で、前記導電性パターンを形成する前記波状ラインのうち第１ラインと平行に配列されるように形成される第３導電部と、
前記透明基板に前記第２導電部を形成する前記波状ラインのうち第１ラインと前記第３導電部との間を電気的に連結するように形成される追加の連結パターンと、
をさらに含む請求項８に記載のタッチパネル。
【請求項１５】
前記透明基板上に前記導電性パターン及び前記第３導電部を形成する前記波状ラインが同じ間隔で配列される請求項１４に記載のタッチパネル。
【請求項１６】
前記第１導電部を形成する前記波状ラインのうち第１ラインは第１配線であり、他のものは第１電極であり、
前記第２導電部を形成する前記波状ラインは第２電極であり、前記第３導電部は第２配線である請求項１４に記載のタッチパネル。
【請求項１７】
前記透明基板は活性領域と非活性領域とに区画され、
前記導電性パターン及び前記連結パターンは前記活性領域に形成される請求項８に記載のタッチパネル。
【請求項１８】
前記導電性パターンと前記連結パターンは、同一の材料で一体に形成される請求項８に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するために用いられる機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在最も幅広い分野で用いられている方式は、抵抗膜方式タッチパネル及び静電容量方式タッチパネルである。
【０００７】
従来の静電容量方式タッチパネルの一例として、特許文献１に開示されたタッチパネルが挙げられる。特許文献１に開示されたタッチパネルは、透明基板上に２軸方向を有し、且つ互いに交差する多数の電極が形成されている。
【０００８】
また、多数の電極の一端にその電極と電気的に連結されるように配線が形成され、配線の末端に形成されるパッド部にＦＰＣＢ（Ｆｌｅｘｉｂｌｅ  Ｐｒｉｎｔｅｄ  Ｃｉｒｃｕｉｔ  Ｂｏａｒｄ；フレキシブルプリント基板）が電気的に連結される。
【０００９】
このような構造を有する従来のタッチパネルは、透明基板またはウィンドウガラス（ｗｉｎｄｏｗ  ｇｌａｓｓ）を介して外部に露出される透明基板の活性領域に前記電極が配置され、外部に露出されていない透明基板の非活性領域に前記配線が配置される。
【００１０】
配線が非活性領域に配置される理由は、配線が一般的に直線状のため、透明基板の活性領域に配置される前記電極とパターンの均一性を有しないためである。
【００１１】
換言すれば、前記電極がメッシュ（ｍｅｓｈ）パターンに形成される場合、直線状の配線と電極は均一なパターンを有しない。従って、電極及び配線がともに活性領域に形成される場合、タッチパネルの視認性が劣化するという問題が発生する。
【００１２】
そのため、従来のタッチパネルは、特許文献１に開示されたタッチパネルと同様に、透明基板の非活性領域に配線が配置される。
【００１３】
従来のタッチパネルの構造は、上述したように、配線が透明基板の非活性領域に配置されることにより、タッチパネルの非活性領域の幅が大きくなる欠点がある。
【００１４】
このような欠点により、タッチパネルの構造が適用される端末機の小型化が阻害され、または、同じサイズの機器においてタッチ領域となる透明基板の活性領域が縮小されるという限界点を有する。
【先行技術文献】
【特許文献】
【００１５】
【特許文献１】韓国公開特許第１０−２０１１−０１２０１５７号公報
【発明の概要】
【発明が解決しようとする課題】
【００１６】
本発明は、上述した従来技術の問題点を解決するためのものであって、配線が電極と共に透明基板の活性領域に配置されるようにすることで、タッチパネルの非活性領域の幅を縮小させることができるタッチパネルを提供することを目的とする
【００１７】
また、本発明は、透明基板の電極及び配線が均一なパターンに形成されるようにすることでタッチパネルの視認性が向上するタッチパネルを提供することを目的とする。
【課題を解決するための手段】
【００１８】
本発明の一実施例によるタッチパネルは、透明基板と、前記透明基板に長さ方向に沿って交互に連続する第１ピーク及び第２ピークを有する正弦波（ｓｉｎｅ  ｗａｖｅ）状の波状ライン（ｗａｖｙ  ｌｉｎｅ）が互いに離隔して平行に配列されるように形成される導電性パターンと、前記透明基板に前記波状ライン間を電気的に連結するように形成される連結パターンと、を含む。
【００１９】
この際、前記導電性パターンは、隣接した前記波状ラインのうち何れか一つの第１ピークと他の一つの第２ピークとが互いに対向するように形成され、隣接した前記波状ライン間の最短の隔離距離を形成することが好ましい。
【００２０】
また、前記連結パターンは、線状からなり、隣接した前記波状ラインのうち何れか一つの第１ピークと他の一つの第２ピークとに両端が連結されることが好ましい。
【００２１】
また、前記導電性パターンを形成する前記波状ラインのうち何れか一つは配線であり、他のものは電極であることが好ましい。
【００２２】
また、前記透明基板上に前記波状ラインが同じ間隔で配列されることが好ましい。
【００２３】
また、前記透明基板は活性領域と非活性領域とに区画され、前記導電性パターン及び前記連結パターンは前記活性領域に形成されることが好ましい。
【００２４】
また、前記導電性パターン及び前記連結パターンは、同一の材料で一体に形成されることが好ましい。
【００２５】
本発明の他の実施例によるタッチパネルは、透明基板と、前記透明基板に長さ方向に沿って交互に連続する第１ピーク及び第２ピークを有する正弦波（ｓｉｎｅ  ｗａｖｅ）状の波状ライン（ｗａｖｙ  ｌｉｎｅ）が互いに離隔して平行に配列されるように形成され、前記波状ラインに切開部が形成されることで、第１導電部と第２導電部とに区画される導電性パターンと、前記透明基板に前記波状ライン間を電気的に連結するように形成される連結パターンと、を含む。
【００２６】
この際、前記導電性パターンは、隣接した前記波状ラインのうち何れか一つの第１ピークと他の一つの第２ピークとが互いに対向するように形成され、隣接した前記波状ライン間の最短の隔離距離を形成することが好ましい。
【００２７】
また、前記連結パターンは、線状からなり、隣接した前記波状ラインのうち何れか一つの第１ピークと他の一つの第２ピークとに両端が連結されることが好ましい。
【００２８】
また、前記切開部は、前記波状ラインに、前記波状ラインの長さ方向と直交する方向に沿って形成されることが好ましい。
【００２９】
また、前記第１導電部を形成する前記波状ラインのうち何れか一つは第１配線であり、他のものは第１電極であることが好ましい。
【００３０】
また、前記第２導電部を形成する前記波状ラインのうち何れか一つは第２配線であり、他のものは第２電極であることが好ましい。
【００３１】
また、前記透明基板に前記波状ラインと同じ形状に形成され、前記導電性パターンの一側で、前記導電性パターンを形成する前記波状ラインのうち第１ラインと平行に配列されるように形成される第３導電部と、前記透明基板に前記第２導電部を形成する前記波状ラインのうち第１ラインと前記第３導電部との間を電気的に連結するように形成される追加の連結パターンと、をさらに含むことが好ましい。
【００３２】
また、前記透明基板上に前記導電性パターン及び前記第３導電部を形成する前記波状ラインが同じ間隔で配列されることが好ましい。
【００３３】
また、前記第１導電部を形成する前記波状ラインのうち第１ラインは第１配線であり、他のものは第１電極であり、前記第２導電部を形成する前記波状ラインは第２電極であり、前記第３導電部は第２配線であることができる。
【００３４】
また、前記透明基板は活性領域と非活性領域とに区画され、前記導電性パターン及び前記連結パターンは前記活性領域に形成されることが好ましい。
【００３５】
また、前記導電性パターンと前記連結パターンは、同一の材料で一体に形成されることが好ましい。
【発明の効果】
【００３６】
本発明は、均一なパターンに形成される導電性パターンのうち一部が配線に、他のものが電極に用いられることで、電極及び配線が全体的に均一なパターンを有する。従って、本発明によると、電極及び配線が透明基板の活性領域に配置されてもタッチパネルが良好な視認性を有する。
【００３７】
また、本発明によると、前記利点により、透明基板の非活性領域を縮小させることができ、透明基板の非活性領域が縮小されることでタッチパネルのベゼル部の幅を縮小させることができる。これにより、タッチパネルの構造が小型化し、または同じタッチパネル面積において画面領域がより広くなるという利点が提供される。
【図面の簡単な説明】
【００３８】
【図１】本発明の第１実施例によるタッチパネルの透明基板を示す平面図である。
【図２】本発明の第１実施例によるタッチパネルの導電性パターン及び連結パターンを示す要部平面図である。
【図３】本発明の第２実施例によるタッチパネルの導電性パターン及び連結パターンを示す要部平面図である。
【図４】図３に図示されたＡ領域の要部拡大図である。
【図５】本発明の第３実施例によるタッチパネルの導電性パターン及び連結パターンを示す要部平面図である。
【発明を実施するための形態】
【００３９】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００４０】
以下、添付図面を参照して、本発明の好ましい実施例を詳細に説明する。
【００４１】
図１は、本発明の第１実施例によるタッチパネルの透明基板を示す平面図であり、図２は、本発明の第１実施例によるタッチパネルの導電性パターン及び連結パターンを示す要部平面図である。
【００４２】
図１及び図２に図示されたように、本発明の第１実施例によるタッチパネルは、透明基板１００と、前記透明基板１００に長さ方向に沿って交互に連続する第１ピーク１１及び第２ピーク１２を有する正弦波（ｓｉｎｅ  ｗａｖｅ）状の波状ライン（ｗａｖｙ  ｌｉｎｅ）１０が互いに離隔して平行に配列されるように形成される導電性パターン２００と、前記透明基板１００に前記波状ライン１０間を電気的に連結するように形成される連結パターン２０と、を含む。
【００４３】
透明基板１００は、導電性パターン２００が形成される領域を提供する機能を果たす。透明基板１００は、導電性パターン２００を支持する支持力と画像表示装置で提供される画像をユーザが認識するための透明性を備えなければならない。
【００４４】
前記支持力及び透明性を考慮すると、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００４５】
一方、透明基板１００は、タッチパネルの最外側に備えるウィンドウ（Ｗｉｎｄｏｗ）であることができる。透明基板１００がウィンドウである場合、後述する導電性パターン２００がウィンドウに直接形成されるため、タッチパネルの製造工程において、別の透明基板１００に電極を形成した後ウィンドウに付着する工程を省略することができ、タッチパネルは、その全体的な厚さを減少させることができる。
【００４６】
透明基板１００は、図１に図示されたように、活性領域１０１と、この活性領域１０１の縁部の外側に配置される非活性領域１０２とに区画することができる。活性領域１０１は、ユーザによるタッチ作用が行われる領域であり、ユーザが機器の動作場面を視覚的に確認する画面領域である。また、非活性領域１０２は、透明基板１００の縁部またはウィンドウの縁部に形成される黒色または白色のベゼル部（不図示）により覆われて外部に露出されない領域である。
【００４７】
導電性パターン２００は、一部が配線に、他のものが電極に用いられることができる。ここで、電極は、ユーザのタッチ時に信号を発生してコントローラ（不図示）でタッチ座標を認識できるようにする機能を果たす。電極から発生する信号は、配線を介してコントローラに伝達される。具体的に、配線は電極と電気的に連結され、透明基板１００に結合されるフレキシブル回路基板（不図示）に接続されることで電極から発生した信号をコントローラに伝達する。
【００４８】
導電性パターン２００は、透明基板１００の一面の活性領域１０１のうち一定の領域を占めて形成されることができる。導電性パターン２００は、長さ方向に沿って交互に連続する第１ピーク１１及び第２ピーク１２を有する正弦波（ｓｉｎｅ  ｗａｖｅ）状の波状ライン（ｗａｖｙ  ｌｉｎｅ）１０に形成され、このような多数の波状ライン１０が互いに離隔して平行に配列されるように形成される。
【００４９】
この際、導電性パターン２００は、図２に図示されたように、多数の波状ライン１０が等間隔に離隔して平行に配列させることができる。また、導電性パターン２００は、隣接して配列された波状ライン１０のうち何れか一つの第１ピーク１１が他の一つの第２ピーク１２と互いに対向するように形成させることができ、この際、前記何れか一つの第１ピーク１１と他の一つの第２ピーク１２との間の距離が、隣接した波状ライン１０間の最短の隔離距離になるように形成させることができる。導電性パターン２００は、前記何れか一つの第１ピーク１１と他の一つの第２ピーク１２とが互いに対向するように形成させることで、何れか一つの第２ピーク１２と他の一つの第１ピーク１１もまた互いに対向して位置する。
【００５０】
導電性パターン２００が前記のように形成されることで、全体的に均一なパターンを成すことができる。
【００５１】
このような導電性パターン２００において、導電性パターン２００を形成する波状ライン１０のうち一部が配線に、他のものが電極に用いられることができるが、これに関しては後述する。
【００５２】
一方、連結パターン２０は、導電性パターン２００を形成する波状ライン１０間を電気的に連結する機能を果たす。連結パターン２０は、様々な構造を有し、かつ前記機能を果たすことができる。例えば、連結パターン２０は、図２に図示されたように、線状からなり、かつ両端が前記最短の隔離距離を形成する第１ピーク１１と第２ピーク１２とに連結される構造を有することができる。導電性パターン２００を形成する波状ライン１０は、連結パターン２０によって互いに電気的に連結させることができる。また、連結パターン２０は、図２に図示されたように、最短の隔離距離を形成する第１ピーク１１と第２ピーク１２との間に全て形成させることもでき、または図示されてはいないが、一部の第１ピーク１１と第２ピーク１２との間のみに形成させることも可能である。
【００５３】
前記導電性パターン２００は、その導電性パターン２００を形成する波状ライン１０のうち一部が配線に用いられることができる。例えば、図２を参照すると、導電性パターン２００を形成する波状ライン１０のうち左端に配置された第１ライン２０１は、配線２１１に用いられることができる。また、第１ライン２０１以外のラインは、電極２１０に用いられることができる。第１ライン２０１は、図示されてはいないが、その末端が透明基板１００の非活性領域１０２にまでつながるように形成させることができ、第１ライン２０１の末端部は、フレキシブル回路基板（不図示）に接続される接続端子になることができる。このような導電性パターン２００は、電極２１０で検知したタッチ信号が連結パターン２０を介して電気的に連結された第１ライン２０１、即ち配線２１１に伝達させることができ、すぐに第１ライン２０１を介してフレキシブル回路基板に伝達させることができる。
【００５４】
一方、前記導電性パターン２００及び連結パターン２０は、電気伝導度が高く、加工が容易な金属からなることができる。金属としては、例えば銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせからなる金属を用いることができる。導電性パターン２００及び連結パターン２０は、メッキ工程や蒸着工程などの様々な方法により、透明基板１００に形成させることができ、この際、導電性パターン２００及び連結パターン２０は、一体に形成させることも可能である。
【００５５】
それだけでなく、導電性パターン２００及び連結パターン２０は、上述した金属の他にも銀塩乳剤層を露光／現像して形成される金属銀からなることもできる。
【００５６】
以下、添付された図面を参照して、本発明の第２実施例について詳細に説明する。但し、第１実施例で説明した内容と重複する内容は以下で省略する。
【００５７】
図３は、本発明の第２実施例によるタッチパネルの導電性パターン及び連結パターンを示す要部平面図であり、図４は、図３に図示されたＡ領域の要部拡大図である。
【００５８】
図３及び図４に図示されたように、本発明の第２実施例によるタッチパネルは、透明基板１００（図１参照）と、前記透明基板１００に長さ方向に沿って交互に連続する第１ピーク１１及び第２ピーク１２を有する正弦波（ｓｉｎｅ  ｗａｖｅ）状の波状ライン（ｗａｖｙ  ｌｉｎｅ）１０が互いに離隔して平行に配列されるように形成され、前記波状ライン１０に切開部４００ａが形成されることで第１導電部４１０と第２導電部４２０とに区画される導電性パターン４００と、前記透明基板１００に前記波状ライン１０間を電気的に連結するように形成される連結パターン２０と、を含む。
【００５９】
導電性パターン４００を形成する波状ライン１０は、第１実施例で説明した波状ライン１０と同じ形状を有する。また、導電性パターン４００を形成する波状ライン１０の配列形態は、第１実施例で説明した導電性パターン２００の波状ライン１０の配列形態と同一である。また、導電性パターン４００は、波状ライン１０間に連結パターン２０が形成されることで、波状ライン１０を互いに電気的に連結させることができる。
【００６０】
一方、本実施例において、導電性パターン４００が平行に配列された多数の波状ライン１０に切開部４００ａが形成されることで、第１導電部４１０と第２導電部４２０とに区画される。図３は、多数の波状ライン１０に横方向、即ち波状ライン１０の長さ方向と直交する方向に沿って切開部４００ａが形成されることで、第１導電部４１０と第２導電部４２０が縦方向に配列されるように区画される例を示している。ここで、切開部４００ａは、図４に図示されたように、波状ライン１０が連続せず、分離されている部位を意味する。波状ライン１０は、このように分離された切開部４００ａが形成されることで、切開部４００ａを境に絶縁される。
【００６１】
一方、第１導電部４１０において、第１導電部４１０を形成する波状ライン１０のうち何れか一つが配線に用いられることができる。また、他の波状ライン１０が電極に用いられることができる。また、第２導電部４２０も第２導電部４２０を形成する波状ライン１０のうち何れか一つが配線に、他のものが電極に用いられることができる。
【００６２】
例えば、図３において、第１導電部４１０を形成する波状ライン１０のうち第１ライン４１１が第１配線４１０ｂに、他のラインが第１電極４１０ａに用いられ、第２導電部４２０を形成する波状ライン１０のうち第１ライン４２１が第２配線４２０ｂに、他のラインが第２電極４２０ａに用いられる例を示している。ここで、第１導電部４１０の第１ライン４１１と第２導電部４２０の第１ライン４２１は、一つの波状ライン１０であるが、切開部４００ａが形成されることで、互いに電気的に絶縁される。第１導電部４１０の第１ライン４１１と第２導電部４２０の第１ライン４２１とは、互いに反対方向に長さ方向が形成され、透明基板１００の非活性領域１０２にまでつなげることができる。
【００６３】
一方、本実施例は、第１、２導電部４１０、４２０の一側端に位置した第１ライン４１１、４２１が配線４１０ｂ、４２０ｂに用いられる例を示しているが、このような例に限定されるものではない。本発明は、第１、２導電部４１０、４２０のうち何れか一つは一側端に位置したラインが配線に用いられ、他の一つは他側端に位置したラインが配線に用いられることができるなど、本実施例と異なる様々な実施例が挙げられることは言うまでもない。
【００６４】
図５は、本発明の第３実施例によるタッチパネルを示すものであり、本発明の第３実施例によるタッチパネルの導電性パターン及び連結パターンを示す要部平面図である。本実施例は、第２実施例とあまり相違せず、相違点のみを説明すると次のとおりである。
【００６５】
本実施例は、透明基板１００（図１参照）に形成される第３導電部４３０をさらに含む。第３導電部４３０は、前記波状ライン１０と同一の正弦波状の波状ラインからなる。また、導電性パターン４００の一側で、導電性パターン４００を形成する波状ライン１０のうち第１ライン４０１と平行に配置されるように形成される。また、第３導電部４３０は、導電性パターン４００を形成する多数の波状ライン１０間の間隔と同じ間隔で導電性パターン４００の第１ライン４０１から離隔して配列させることができる。それだけでなく、導電性パターン４００を形成する波状ライン１０の配列形態と同様に、第３導電部４３０は、第３導電部４３０の第１ピーク１１と導電性パターン４００の第１ライン４０１の第２ピーク１２とが対向するように形成され、その間が二つのライン間の最短の離隔距離を有するように形成させることができる。
【００６６】
第３導電部４３０が前記のように形成されることで、第３導電部４３０及び導電性パターン４００は、全体的に均一なパターンを形成する。
【００６７】
一方、第３導電部４３０は、導電性パターン４００のうち第２導電部４２０の第１ライン４２１と電気的に連結させることができる。即ち、第３導電部４３０の第１ピーク１１と第２導電部４２０の第１ライン４２１の第２ピーク１２との間に前記連結パターン２０と同じ形状を有する追加の連結パターン２０を形成することで、第３導電部４３０と第２導電部４２０の第１ライン４２１を電気的に連結させることができる。
【００６８】
このような第３導電部４３０は、全体が第２電極４２０ａに用いられることができる第２導電部４２０に電気的に連結される第２配線４２０ｂになることができる。また、第１導電部４１０の第１ライン４１１は第１配線４１０ｂに、第１導電部４１０の他のラインは第１電極４１０ａに用いられることができる。
【００６９】
一方、本発明は、上述した実施例に限定されない。導電性パターン４００において、波状ライン１０に２つ以上の切開部４００ａの列が形成されるようにすることで、第１電極４１０ａ及び第２電極４２０ａを含む三つ以上の電極に区画させることもできる。また、各電極に隣接した波状ライン１０は、各電極２１０を形成する波状ライン１０と連結パターン２０によって連結させることで、各電極２１０に電気的に連結される配線に用いられることができる。
【００７０】
本発明は、前記のように、配線及び電極が用いられることができる導電性パターンが同一の波状ライン１０に形成されることで、全体的に均一なパターンを形成する。従って、配線及び電極が透明基板１００の活性領域１０１に配置されてもタッチパネルの視認性が低下する問題が発生しない。
【００７１】
従って、本発明によると、透明基板１００の非活性領域１０２を縮小させることができ、これにより、タッチパネル構造の全体的な大きさが小型化し、同一のタッチパネル面積において画面領域がより広くなるという利点が提供される。
【００７２】
以上、本発明を具体的な実施例に基づいて詳細に説明したが、これは本発明を具体的に説明するためのものであり、本発明はこれに制限されず、該当分野における通常の知識を有する者であれば、本発明の技術的思想内にての変形や改良が可能であることは明白であろう。
【００７３】
本発明の単純な変形乃至変更はいずれも本発明の領域に属するものであり、本発明の具体的な保護範囲は添付の特許請求の範囲により明確になるであろう。
【産業上の利用可能性】
【００７４】
本発明は、電極及び配線が透明基板の活性領域に配置されても良好な視認性を有するタッチパネルに適用可能である。
【符号の説明】
【００７５】
１０  波状ライン
１１  第１ピーク
１２  第２ピーク
２０  連結パターン
１００  透明基板
１０１  活性領域
１０２  非活性領域
２００  導電性パターン
２０１  第１ライン
２１０  電極
２１１  配線
４００  導電性パターン
４００ａ  切開部
４０１  第１ライン
４１０  第１導電部
４１０ａ  第１電極
４１０ｂ  第１配線
４１１  第１ライン
４２０  第２導電部
４２０ａ  第２電極
４２０ｂ  第２配線
４２１  第１ライン
４３０  第３導電部
【図１】
2014038585.tif 000003
【図２】
2014038585.tif 000004
【図３】
2014038585.tif 000005
【図４】
2014038585.tif 000006
【図５】
2014038585.tif 000007